(57)【特許請求の範囲】
【請求項１】
筐体と、前記筐体の上部から互いに空間を介して突設し、前記空間の反対側から差し込まれる配線を前記筐体上方から差し込まれる工具で固定する第１及び第２露出端子と、前記配線及び前記工具のさし込み口を除いて前記第１及び第２露出端子の側方をそれぞれ覆う第１及び第２隔壁を有する機器において、前記第１及び第２露出端子の上方を覆うための端子カバーであって、
前記空間において前記第１及び第２隔壁の側面にそれぞれ接触する第１及び第２接触板と、
前記第１及び第２接触板を下部において互いに連結する連結部と、
前記第１及び第２接触板の上部からそれぞれ延在して前記第１及び第２露出端子の上方を覆う第１及び第２カバーと、を備え、
前記第１及び第２隔壁と前記第１及び第２接触板との間に押圧力が生じ、前記第１及び第２カバーが前記空間側へ押されると前記押圧力が低減し、
前記連結部から前記第１及び第２接触板の上部側へ突設されたストッパー片をさらに備え、
前記ストッパー片は、前記第１及び第２接触板の間の前記連結部に立てられた板状であり、前記第１及び第２接触板の両方が押されて同一の当該ストッパー片に当接することが可能である端子カバー。
【請求項２】
筐体と、前記筐体の上部から互いに空間を介して突設し、前記空間の反対側から差し込まれる配線を前記筐体上方から差し込まれる工具で固定する第１及び第２露出端子と、前記配線及び前記工具のさし込み口を除いて前記第１及び第２露出端子の側方をそれぞれ覆う第１及び第２隔壁を有する機器において、前記第１及び第２露出端子の上方を覆うための端子カバーであって、
前記空間において前記第１及び第２隔壁の側面にそれぞれ接触する第１及び第２接触板と、
前記第１及び第２接触板を下部において互いに連結する連結部と、
前記第１及び第２接触板の上部からそれぞれ延在して前記第１及び第２露出端子の上方を覆う第１及び第２カバーと、を備え、
前記第１及び第２隔壁と前記第１及び第２接触板との間に押圧力が生じ、前記第１及び第２カバーが前記空間側へ押されると前記押圧力が低減し、
前記第１及び第２接触板間において着脱自在であり、前記第１及び第２接触板の上部の距離を固定するための固定部材をさらに備えた端子カバー。
【請求項３】
前記第１及び第２接触板は、前記押圧力を解いて前記第１及び第２隔壁に係合する係合部を含む請求項１又は２に記載の端子カバー。
【請求項４】
前記第１及び第２カバーの前記第１及び第２露出端子の反対側から突設された第１及び第２取手をさらに備えた請求項１又は２に記載の端子カバー。
【請求項５】
請求項１から４までのいずれかに記載の端子カバーと、
前記機器と、
を備えた電気機器。
【発明の詳細な説明】
【０００１】
【発明が属する技術分野】
本発明は、外部に露出する端子（露出端子）を覆うための端子カバー及び電気機器に関する。
【０００２】
【従来の技術】
図１２は、従来の電気機器を示す斜視図である。従来より図１２に示すような電気機器は、配線Ｃを露出端子Ｄ３に差し込み、機器Ｄの上方からドライバーＦを差し込んでネジで固定する。次に、感電防止のために露出端子Ｄ３の上方から端子カバーＥを取り付ける。露出端子Ｄ３の側方については、隣接する配線Ｃ間のショートを防止するために、隔壁Ｄ４が設けられている。
【０００３】
端子カバーＥの機器Ｄへの取り付けについて説明すると、係合片Ｅ１を係合溝Ｄ１に滑らせるようにして入れ、係合片Ｅ１の下部が係合穴Ｄ２に引っかかって固定される。
【０００４】
【発明が解決しようとする課題】
以上のように、従来の技術は簡単な構成ではあるが、端子カバーＥを機器Ｄから取り外し難いという問題点があった。
【０００５】
本発明は上記の問題点を解決するためになされたものであり、簡単な構成で機器から取り外し易い端子カバー及び電気機器を得ることを目的とする。
【０００６】
【課題を解決するための手段】
請求項１に記載の課題解決手段は、筐体と、前記筐体の上部から互いに空間を介して突設し、前記空間の反対側から差し込まれる配線を前記筐体上方から差し込まれる工具で固定する第１及び第２露出端子と、前記配線及び前記工具のさし込み口を除いて前記第１及び第２露出端子の側方をそれぞれ覆う第１及び第２隔壁を有する機器において、前記第１及び第２露出端子の上方を覆うための端子カバーであって、前記空間において前記第１及び第２隔壁の側面にそれぞれ接触する第１及び第２接触板と、前記第１及び第２接触板を下部において互いに連結する連結部と、前記第１及び第２接触板の上部からそれぞれ延在して前記第１及び第２露出端子の上方を覆う第１及び第２カバーと、を備え、前記第１及び第２隔壁と前記第１及び第２接触板との間に押圧力が生じ、前記第１及び第２カバーが前記空間側へ押されると前記押圧力が低減し、前記連結部から前記第１及び第２接触板の上部側へ突設されたストッパー片をさらに備え、前記ストッパー片は、前記第１及び第２接触板の間の前記連結部に立てられた板状であり、前記第１及び第２接触板の両方が押されて同一の当該ストッパー片に当接することが可能である。
【０００７】
請求項２に記載の課題解決手段は、筐体と、前記筐体の上部から互いに空間を介して突設し、前記空間の反対側から差し込まれる配線を前記筐体上方から差し込まれる工具で固定する第１及び第２露出端子と、前記配線及び前記工具のさし込み口を除いて前記第１及び第２露出端子の側方をそれぞれ覆う第１及び第２隔壁を有する機器において、前記第１及び第２露出端子の上方を覆うための端子カバーであって、前記空間において前記第１及び第２隔壁の側面にそれぞれ接触する第１及び第２接触板と、前記第１及び第２接触板を下部において互いに連結する連結部と、前記第１及び第２接触板の上部からそれぞれ延在して前記第１及び第２露出端子の上方を覆う第１及び第２カバーと、を備え、前記第１及び第２隔壁と前記第１及び第２接触板との間に押圧力が生じ、前記第１及び第２カバーが前記空間側へ押されると前記押圧力が低減し、前記第１及び第２接触板間において着脱自在であり、前記第１及び第２接触板の上部の距離を固定するための固定部材をさらに備える。
【０００８】
請求項３に記載の課題解決手段において、前記第１及び第２接触板は、前記押圧力を解いて前記第１及び第２隔壁に係合する係合部を含む。
【０００９】
請求項４に記載の課題解決手段は、前記第１及び第２カバーの前記第１及び第２露出端子の反対側から突設された第１及び第２取手をさらに備える。
【００１０】
請求項５に記載の課題解決手段は、請求項１から４までのいずれかに記載の端子カバーと、前記機器とを備える。
【００１２】
【発明の実施の形態】
（実施の形態１）
図１は本発明の実施の形態１の電気機器を示す斜視図である。本発明の電気機器は、外部に露出する端子（露出端子）を備えるものであればよく、例えば制御装置や電源装置などである。
【００１３】
電気機器は露出端子Ａ２が設けられた機器Ａと、露出端子Ａ２を覆うための端子カバーＢとで構成される。端子カバーＢを機器Ａに取り付けた状態を図２に示す。また、図１及び図２の部分側面図をそれぞれ図３及び図６に示す。
【００１４】
まず、機器Ａの構成について説明する。筐体Ａ１の上部からは、互いに空間Ｓを介して配置された露出端子Ａ２，Ａ３が突設されている。図では、露出端子Ａ２は４つであり、露出端子Ａ３は３つであり、それぞれネジや座金からなる。
【００１５】
隣接する配線Ｃ間のショートを防止するために、複数の露出端子Ａ２の各々は、配線Ｃ及びドライバーＦのさし込み口Ａ６を除いて側方が隔壁Ａ４で覆われている。同様に、複数の露出端子Ａ３の各々も、配線Ｃ及びドライバーＦのさし込み口Ａ７を除いて側方が隔壁Ａ５で覆われている。
【００１６】
次に、端子カバーＢの構成について説明する。端子カバーＢは、筐体Ａ１の上部、隔壁Ａ４，Ａ５の表面に沿った形状であり、主として接触板Ｂ１，Ｂ２、連結部Ｂ３、カバーＢ４，Ｂ５の部分からなる。接触板Ｂ１，Ｂ２はそれぞれ空間Ｓにおいて隔壁Ａ４，Ａ５の側面にそれぞれ接触する部分であり、接触板Ｂ１，Ｂ２の下部で連結部Ｂ３によって互いに連結されている。カバーＢ４，Ｂ５はそれぞれ接触板Ｂ１，Ｂ２の上部から折れ曲がって延在する。
【００１７】
また、連結部Ｂ３には、接触板Ｂ１，Ｂ２の上部側へ突設された板状のストッパー片Ｂ７が設けられている。また、カバーＢ４，Ｂ５のうち、露出端子Ａ２，Ａ３上方の部分には、端子カバーＢを機器Ａに取り付けた状態でも、ドライバーＦを露出端子Ａ２，Ａ３にさし込める穴ＢＳが開けられている。
【００１８】
隔壁Ａ５の空間Ｓ側の側面には凹状の２つの係合部Ａ８が設けられている。同様に、隔壁Ａ４の空間Ｓ側の側面にも凹状の２つの係合部Ａ８が設けられている。これに対応して、接触板Ｂ１の外側の側面には凸状の２つの係合部Ｂ６が設けられている。同様に、接触板Ｂ２の外側の側面にも凸状の２つの係合部Ｂ６が設けられている。
【００１９】
次に、実施の形態１の電気機器の使用法について説明する。まず、さし込み口Ａ６，Ａ７（空間Ｓの反対側）から露出端子Ａ２，Ａ３へ配線Ｃを差し込み、筐体Ａ１上方からドライバーＦ（工具）でネジを締め付けて配線Ｃを露出端子Ａ２，Ａ３に固定する。
【００２０】
次に、露出端子Ａ２，Ａ３の上方を覆うため、端子カバーＢを機器Ａに取り付ける。この様子を図３〜図６を用いて詳しく説明すると、まず、端子カバーＢを機器Ａの上方から被せる（図３）。端子カバーＢを下方へ進ませると、凸状の４つの係合部Ｂ６が隔壁Ａ４，Ａ５に当接するが（図４）、凸状の係合部Ｂ６の表面が丸状になっているので端子カバーＢは滑らかに進み、接触板Ｂ１，Ｂ２の係合部Ｂ６，Ｂ６と隔壁Ａ４，Ａ５との間に押圧力が生じて機器Ａから外れ難い（図５）。さらに端子カバーＢを進ませて、凸状の係合部Ｂ６が凹状の係合部Ａ８に係合することで、前述の押圧力が急激に解かれて接触板Ｂ１，Ｂ２が隔壁Ａ４，Ａ５に強く当たってパチンという音が鳴り、端子カバーＢの機器Ａへの取り付けが完了する（図６）。端子カバーＢは、係合部Ｂ６と係合部Ａ８との係合によって機器Ａに確実に固定される。
【００２１】
次に、端子カバーＢを機器Ａから取り外す様子を図６〜図８を用いて説明する。図６の状態で、カバーＢ４，Ｂ５の端部を片手の親指と人差し指で挟むと、カバーＢ４，Ｂ５が空間Ｓ側へ押されることで、まず、接触板Ｂ１，Ｂ２が撓んで係合部Ｂ６と係合部Ａ８との係合が解かれ（図７）、接触板Ｂ１，Ｂ２の係合部Ｂ６，Ｂ６と隔壁Ａ４，Ａ５との間の押圧力が低減する。これによって、片手で端子カバーＢを機器Ａから容易に引き抜くことができる（図８）。
【００２２】
以上のように、隔壁Ａ４，Ａ５を利用した構成により、簡単な構成で機器Ａから端子カバーＢを外し易くなる。
【００２３】
また、係合部Ａ８，Ｂ６を設けたことによって、端子カバーＢを機器Ａに確実に固定でき、使用者は端子カバーＢが機器Ａに取り付けられたことを係合の際に生じるパチンという音によって確認できる。
【００２４】
また、図７に示すように、接触板Ｂ１，Ｂ２は、押されすぎてもストッパー片Ｂ７に当接するので、押しすぎによる破損を防止できる。また、板状のストッパー片Ｂ７を連結部Ｂ３に立てたことによって、連結部Ｂ３が撓みすぎて破損することを防ぐことができる。
【００２５】
また、４カ所に係合部Ｂ６を設けたので、端子カバーＢを機器Ａに安定して固定できる。
【００２６】
（実施の形態２）
実施の形態１の端子カバーでは、接触板Ｂ１，Ｂ２と隔壁Ａ４，Ａ５との間の押圧力が緩んで、端子カバーＢが機器Ａから不用意に外れることが考えられる。
【００２７】
そこで、図９に示すように着脱自在な固定部材Ｂ８を設ける。この部分側面図を図１０に示す。端子カバーＢを機器Ａに取り付けた後、接触板Ｂ１，Ｂ２に設けられた溝Ｂ９に固定部材Ｂ８を差し込む。これによって、接触板Ｂ１，Ｂ２の上部の距離が固定される。接触板Ｂ１，Ｂ２の下部の距離については連結部Ｂ３によって固定されている。
【００２８】
以上のように、接触板Ｂ１，Ｂ２間において固定部材Ｂ８を取り付けた状態で、接触板Ｂ１，Ｂ２の上部及び下部の距離が固定されるので、接触板Ｂ１，Ｂ２と隔壁Ａ４，Ａ５との密着性が保たれ、端子カバーＢが機器Ａから不用意に外れることを防ぐことができる。
【００２９】
（実施の形態３）
図１１は本発明の実施の形態３の端子カバーＢを示す斜視図である。その他の構成は、実施の形態１と同様である。
【００３０】
実施の形態３では、カバーＢ４，Ｂ５の各々の端部において上方（露出端子Ａ２，Ａ３の反対側）に突設された取手Ｂ１０を設ける。これによって、使用者による端子カバーＢの取り外しがさらに容易になる。
【００３１】
（変形例）
なお、本発明は図示するものに限定されない。例えば、係合部Ｂ６，Ａ８以外でもよく、接触板Ｂ１，Ｂ２と隔壁Ａ４，Ａ５との間に適切な押圧力が生じればよい。例えば、係合部Ｂ６，Ａ８を省略し、接触板Ｂ１，Ｂ２と隔壁Ａ４，Ａ５とが適度な強さで接触して押圧力が生じる構成でもよい。
【００３２】
また、配線Ｃ及びドライバーＦのさし込み口Ａ６，Ａ７を除いて露出端子Ａ２，Ａ３の側方をそれぞれ覆う隔壁Ａ４，Ａ５の形状は、図示する他でもよく、例えば図１の隔壁Ａ４，Ａ５のうち、空間Ｓに呈する側面を省略してもよい。
【００３３】
また、ストッパー片Ｂ７は省略してもよい。また、実施の形態３を実施の形態２に組み合わせてもよい。
【００３４】
【発明の効果】
請求項１に記載の発明によれば、第１及び第２隔壁を利用した構成により、簡単な構成で端子カバーを機器から取り外し易くなる。しかも、第１及び第２カバーは、押されすぎてもストッパー片に当接するので、押しすぎによる破損を防止できる。
【００３５】
請求項２に記載の発明によれば、第１及び第２隔壁を利用した構成により、簡単な構成で端子カバーを機器から取り外し易くなる。しかも、端子カバーに固定部材を取り付けることで、端子カバーが機器から不用意に外れることを防ぐことができる。
【００３６】
請求項３に記載の発明によれば、係合部によって端子カバーを機器に確実に固定でき、しかも使用者は端子カバーが機器に取り付けられたことを係合の際に生じる音によって確認できる。
【００３７】
請求項４に記載の発明によれば、第１及び第２取手を設けたことによって、使用者による端子カバーの取り外しがさらに容易になる。
【００３８】
請求項５に記載の発明によれば、端子カバー付の電気機器の構成が簡単になる。
【図面の簡単な説明】
【図１】  本発明の実施の形態１の電気機器を示す斜視図である。
【図２】  本発明の実施の形態１の電気機器を示す斜視図である。
【図３】  本発明の実施の形態１の電気機器を示す部分側面図である。
【図４】  本発明の実施の形態１の電気機器を示す部分側面図である。
【図５】  本発明の実施の形態１の電気機器を示す部分側面図である。
【図６】  本発明の実施の形態１の電気機器を示す部分側面図である。
【図７】  本発明の実施の形態１の電気機器を示す部分側面図である。
【図８】  本発明の実施の形態１の電気機器を示す部分側面図である。
【図９】  本発明の実施の形態２の電気機器を示す斜視図である。
【図１０】  本発明の実施の形態２の電気機器を示す側面図である。
【図１１】  本発明の実施の形態３の端子カバーを示す斜視図である。
【図１２】  従来の電気機器を示す斜視図である。
【符号の説明】
Ａ  機器、Ａ１  筐体、Ａ２，Ａ３  露出端子、Ａ４，Ａ５  隔壁、Ｂ  端子カバー、Ｂ１，Ｂ２  接触板、Ｂ３  連結部、Ｂ４，Ｂ５  カバー、Ｃ  配線、Ｓ  空間。
【図１】
0004548909.tif 000002
【図２】
0004548909.tif 000003
【図３】
0004548909.tif 000004
【図４】
0004548909.tif 000005
【図５】
0004548909.tif 000006
【図６】
0004548909.tif 000007
【図７】
0004548909.tif 000008
【図８】
0004548909.tif 000009
【図９】
0004548909.tif 000010
【図１０】
0004548909.tif 000011
【図１１】
0004548909.tif 000012
【図１２】
0004548909.tif 000013